(57)【要約】【課題】  フィルムをドキュメントスキャナーで読み取ることは不可能だった。【解決手段】  第１読取部にて反射原稿用に第１発光部からの光を当てて反射原稿の第１面を読み取り、第２読取部にて反射原稿用に第２発光部からの光を当てて反射原稿の第１面とは逆の第２面を読み取ることが可能である。また、駆動機構は、上記第１読取部の少なくとも一部を変化させることで焦点距離を変化させることが可能である。このため、制御部は上記駆動機構を制御することで、原稿を透過した光を用いて読み取りできる位置へ上記第１読取部の少なくとも一部を変化させる。このような変化後には、上記第１読取部は原稿を透過した光を用いて読み取りをできることになる。【選択図】  図７
2012195879.tif 000002
【特許請求の範囲】
【請求項１】
反射原稿用に第１発光部からの光を当てて反射原稿の第１面を読み取る第１読取部と、
反射原稿用に第２発光部からの光を当てて反射原稿の第１面とは逆の第２面を読み取る第２読取部と、
上記第１読取部の少なくとも一部を変化させることで、焦点距離を変化させる駆動機構と、
原稿を透過した光を用いて読み取りできる位置へ上記第１読取部の少なくとも一部を変化させるように上記駆動機構を制御する制御部とを備えることを特徴とする画像読取装置。
【請求項２】
上記制御部は、読取対象が反射原稿から透過原稿に切り替わった場合に、上記第２発光部の発光量を変化させることを特徴とする請求項１に記載の画像読取装置。
【請求項３】
上記第１読取部は、読取対象の相対移動方向に対して幅方向に配向された第１ラインセンサーを備えると共に、上記第１発光部は当該第１ラインセンサーと略等長に一体的に形成され、同第１発光部が読取対象に光を当てるとその想定される反射光と所定の焦点距離を隔てた位置で受光する様に上記第１ラインセンサーが対面して形成され、
上記第２読取部は、読取対象の相対移動方向に対して幅方向に配向された第２ラインセンサーを備えると共に、上記第２発光部は当該第２ラインセンサーと略等長に一体的に形成され、同第２発光部が読取対象に光を当てるとその想定される反射光と所定の焦点距離を隔てた位置で受光する様に上記第２ラインセンサーが対面して形成され、
上記第１読取部と上記第２読取部は、互いに上記第１発光部と上記第２発光部とが対面し、上記第１ラインセンサーと上記第２ラインセンサーとが対面する位置関係を基本位置とし、
上記駆動機構は、この基本位置から少なくとも上記第１ラインセンサーを移動させることを特徴とする請求項１または請求項２に記載の画像読取装置。
【請求項４】
上記駆動機構は、上記第１読取部の全体を移動させるにあたり、上記第１ラインセンサーが上記第２発光部に対面すると共に、読取対象の位置が上記基本位置における位置よりも所定距離だけ上記第１読取部よりも遠方側の所定位置へ移動することに伴って、当該所定位置に対する焦点距離となる移動位置へ移動させることを特徴とする請求項３に記載の画像読取装置。
【請求項５】
上記第１読取部は、読取対象の側に向けて開口する断面コ字状のフレーム内にて段差を有するカム部材に載置される様に収容され、同カム部材が上記フレームに対して上記読取対象の相対移動方向に前後動するときに、載置された上記第１読取部を、上記基本位置から上記移動位置へ移動させるカム機構を構成していることを特徴とする請求項４に記載の画像読取装置。
【請求項６】
上記カム部材は、上記読取対象の下流側に移動した状態で、上記第１読取部を最も低い位置でかつ上記読取対象の下流側の位置に保持する第１段部と、上記カム部材が上記読取対象の上流側に移動されるときには上記第１読取部を上記読取対象の側に押し上げつつ同読取対象の上流側に移動させる第２段部を備えることを特徴とする請求項５に記載の画像読取装置。 
【発明の詳細な説明】
【技術分野】
【０００１】
本発明は、画像読取装置に関し、特に、両面同時読取可能なラインセンサーを備える画像読取装置に関する。
【背景技術】
【０００２】
フィルムスキャンを行うにはフィルムフォルダーを使用する構造上、被写界深度を稼ぐ必要があり、ＣＣＤセンサーを用いていた。また、フィルムは透過原稿のため、ＣＣＤセンサーに対し、原稿を挟んだ反対側に光源が必要であった。
【先行技術文献】
【特許文献】
【０００３】
【特許文献１】特開２００５−７７８６７号公報
【特許文献２】特開２００４−１２６２８４号公報
【特許文献３】特開平５−１２２４４７号公報
【発明の概要】
【発明が解決しようとする課題】
【０００４】
ＣＣＤセンサーによるフィルムスキャナーは用途がフィルムスキャンに限定されるので、仕事で利用する人であったり、専門的な趣味を持つユーザでないと購買しづらかった。
一方、二つのラインセンサーを対面させたドキュメントスキャナーの利用が延びている。しかし、この種のラインセンサーは被写界深度が浅いのでフィルムフォルダーにフィルムを挟んだ状態では焦点距離が合わないし、透過原稿用の光源が無いので読み取りも不可能である。
【０００５】
本発明は、利便性の高い画像読取装置を提供することを目的とする。
【課題を解決するための手段】
【０００６】
本発明の画像読取装置では、第１読取部にて反射原稿用に第１発光部からの光を当てて反射原稿の第１面を読み取り、第２読取部にて反射原稿用に第２発光部からの光を当てて反射原稿の第１面とは逆の第２面を読み取ることが可能である。また、駆動機構は、上記第１読取部の少なくとも一部を変化させることで焦点距離を変化させることが可能である。このため、制御部は上記駆動機構を制御することで、原稿を透過した光を用いて読み取りできる位置へ上記第１読取部の少なくとも一部を変化させる。このような変化後には、上記第１読取部は原稿を透過した光を用いて読み取りをできることになる。
【０００７】
また、上記制御部は、読取対象が反射原稿から透過原稿に切り替わった場合に、上記第２発光部の発光量を変化させるように構成することができる。第２発光部は第１読取部に対して透過原稿の反対側に位置しており、第２発光部の光が原稿を透過して第１読取部にて読み取られる。読取対象が反射原稿から透過原稿に切り替わった場合には、その受光量が適切となる様に、上記制御部が上記第２発光部の発光量を変化させる。
【０００８】
ここで、上記第１読取部は、読取対象の相対移動方向に対して幅方向に配向された第１ラインセンサーを備えると共に、上記第１発光部は当該第１ラインセンサーと略等長に一体的に形成され、同第１発光部が読取対象に光を当てるとその想定される反射光と所定の焦点距離を隔てた位置で受光する様に上記第１ラインセンサーが対面して形成され、上記第２読取部は、読取対象の相対移動方向に対して幅方向に配向された第２ラインセンサーを備えると共に、上記第２発光部は当該第２ラインセンサーと略等長に一体的に形成され、同第２発光部が読取対象に光を当てるとその想定される反射光と所定の焦点距離を隔てた位置で受光する様に上記第２ラインセンサーが対面して形成され、上記第１読取部と上記第２読取部は、互いに上記第１発光部と上記第２発光部とが対面し、上記第１ラインセンサーと上記第２ラインセンサーとが対面する位置関係を基本位置とし、上記駆動機構は、この基本位置から少なくとも上記第１ラインセンサーを移動させるように構成することができる。
【０００９】
この構成では、第１読取部と第２読取部は間に読取部を挟む様に対面して配置されている。それぞれ互いに、読取対象の相対移動方向に対して幅方向に配向された第１ラインセンサーと第２ラインセンサーとを備え、これらと略等長に一体的に形成された上記第１発光部と第２発光部とが両者の間に位置する読取対象に光を当てる。反射原稿を想定して、第１発光部と第２発光部の光が同伴者原稿を照射すると、その反射光は所定の焦点距離を隔てた位置に対面して形成されている上記第１ラインセンサーと第２ラインセンサーに入光するので正確な像が読み取られることになる。反射原稿を読取対象とするときにはこの基本位置で読み取りが行われる。そして、上記駆動機構はこの基本位置から少なくとも上記第１ラインセンサーを移動させることで、移動後には、上記第１読取部は原稿を透過した光を用いて読み取りをできることになる。
【００１０】
より具体的な移動として、上記駆動機構は、上記第１読取部の全体を移動させるにあたり、上記第１ラインセンサーが上記第２発光部に対面すると共に、読取対象の位置が上記基本位置における位置よりも所定距離だけ上記第１読取部よりも遠方側の所定位置へ移動することに伴って、当該所定位置に対する焦点距離となる移動位置へ移動させるように構成することができる。
【００１１】
この構成では、上記駆動機構は上記第１読取部の全体を移動させる。すなわち、上記第１ラインセンサーが上記第２発光部に対面することとする。また、フィルムフォルダーに保持されたフィルムを間に挟むことになると、読取対象の位置は上記基本位置における位置よりも所定距離だけ上記第１読取部よりも遠方側の所定位置へ移動する。従って、この遠方側の所定位置への移動によってもなお焦点距離がずれない様に、当該所定位置に対する焦点距離となる移動位置へ移動させる。すなわち、第１ラインセンサーが第２発光部に対面しつつ、読取対象に近接する移動を行う。これによって光源の確保と、焦点距離の確保という二つの機能を行う。
【００１２】
ここで、上記第１読取部は、読取対象の側に向けて開口する断面コ字状のフレーム内にて段差を有するカム部材に載置される様に収容され、同カム部材が上記フレームに対して上記読取対象の相対移動方向に前後動するときに、載置された上記第１読取部を、上記基本位置から上記移動位置へ移動させるカム機構を構成させることができる。
読取対象の側に向けて開口する断面コ字状のフレーム内に第１読取部が収容され、かつ、同第１読取部は段差を有するカム部材に載置されている。そして、同カム部材が上記フレームに対して上記読取対象の相対移動方向に前後動することで、載置された上記第１読取部を、上記基本位置から上記移動位置へ移動させる。
【００１３】
より具体的な動作として、上記カム部材は、上記読取対象の下流側に移動した状態で、上記第１読取部を最も低い位置でかつ上記読取対象の下流側の位置に保持する第１段部と、上記カム部材が上記読取対象の上流側に移動されるときには上記第１読取部を上記読取対象の側に押し上げつつ同読取対象の上流側に移動させる第２段部を備える構成とすることができる。
【００１４】
基本位置では、上記カム部材は上記読取対象の下流側に移動した状態となり、このときには、第１段部により上記第１読取部を最も低い位置でかつ上記読取対象の下流側の位置に保持する。一方、上記カム部材が上記読取対象の上流側に移動されると、第２段部により上記第１読取部を上記読取対象の側に押し上げつつ同読取対象の上流側に移動させる。このように第１段部と第２段部を有する形状としたカム部材が読取対象の送り方向にそって移動することで上記第１読取部は読取対象に応じた最適な位置に保持されることになる。
【発明の効果】
【００１５】
本発明によれば、相対面するタイプの読取部を備えた画像読取装置で、間に反射原稿を挟んだ両面の同時読取の様な画像読取に加え、間にフィルムフォルダーなどに保持されたフィルムを透過原稿とする画像読取も行うことが可能となる。
また、簡易な構成で両者の機能を実現する機構からなる画像読取装置を提供できる。
【図面の簡単な説明】
【００１６】
【図１】本発明の一実施形態にかかる画像読取装置を適用したドキュメントスキャナーの正面図である。
【図２】第１の読取ユニットと第２の読取ユニットの概略的な位置関係を示す図である。
【図３】第１の読取ユニットを移動させるための駆動機構の要部を概略的に示す図である。
【図４】第１の読取ユニットを移動させるための駆動機構の要部を概略的に示す図である。
【図５】フィルムフォルダーの斜視図である。
【図６】フィルムフォルダーの断面図である。
【図７】フィルムフォルダーを利用した透過原稿読取における第１の読取ユニットと第２の読取ユニットの位置関係を概略的に示す図である。
【発明を実施するための形態】
【００１７】
以下、図面にもとづいて本発明の実施形態を説明する。
図１は、本発明の一実施形態にかかる画像読取装置を同時両面読取可能なドキュメントスキャナーを正面図により示している。
同図において、本ドキュメントスキャナー１０は、下部筺体部１１と、上部ＡＤＦユニット１２とを備えている。下部筺体部１１は天面にガラス面を配置した筺体内に図面上幅方向に移動可能で、図面上奥行き方向に長い第１の読取ユニット（第１読取部）１３を有している。同第１の読取ユニット１３の詳細は後述するが、図に波線にて示す固定位置にて静止して読み取りを行うＡＤＦ読取モードと、上記ガラス面の下方で移動しながら読み取りを行うフラットベッド読取モードで使用することができる。上部ＡＤＦユニット１２は、全体的に下部筺体部１１の上面全体を覆う形状であり、上方の原稿載置トレイ１４上に置かれた原稿を上方から１枚ずつ吸い込み、図面上の矢印と一点鎖線で示す様に上方から左方へ吸引した後、先端を下方から右方へと反転させ、波線にて示す第２の読取ユニット（第２読取部）１５の下方を通し、更に右方の原稿排紙位置１６へと排出する。
【００１８】
これらの基本的な駆動や読み取りの制御は、下部筺体部１１内の制御部１７が行っている。具体的な機構はこの種の既存の画像読取装置における機構を利用可能であり、詳細は省略する。
図２は、第１の読取ユニット１３と第２の読取ユニット１５の概略的な位置関係を示している。なお、第１の読取ユニット１３については波線で示す反射原稿位置と実線で示す透過原稿位置とのいずれの位置で読み取りを行う。まず、各ユニット１３，１５の構成について説明する。第１の読取ユニット１３は上方に透過面を有しており、図示右方には上方に読取面を配置した第１ラインセンサー１３ａが配置されている。この第１ラインセンサー１３ａの被写界深度は浅いが、反射原稿位置に置かれた場合にはガラス面の上面に接する様にして供給される反射原稿の表面である第１面までの距離がちょうど焦点距離と一致する様な位置関係となっている。
【００１９】
第１ラインセンサー１３ａは図面の奥行き方向に所定画素数分だけ並べて形成されている。上述した様に反射原稿が供給されると、この供給方向を基準として当該反射原稿の幅方向に沿って第１ラインセンサー１３ａは配向されることになる。第１ラインセンサー１３ａの左方の空間にはＬＥＤからなる第１発光部１３ｂが図面の奥行き方向に複数個だけほぼ第１ラインセンサー１３ａと等長となる様に配設されている。第１発光部１３ｂは上述した反射原稿の表面に所定の照明光を照射するものであり、照射ムラが生じない様に空間内の反射面を照らし、その反射光で上記反射原稿の表面を間接照明する様に形成されている。図に示す様に第１ラインセンサー１３ａが右方に、第１発光部１３ｂが左方に位置する様に両者は一体的に形成されている。
【００２０】
第２の読取ユニット１５の構成は、第１の読取ユニット１３に対して、上記反射原稿を挟んだ面対称となる様な位置関係になっており、第２ラインセンサー１５ａと第２発光部１５ｂの構成もほぼ一致している。第２ラインセンサー１５ａについても、上述した反射原稿における逆の面の第２面までの距離が焦点距離と一致する位置関係となっている。
かかる構成において、第１の読取ユニット（第１読取部）１３は、反射原稿用に第１発光部１３ｂからの光を当てて反射原稿の第１面を読み取る。このため、第１の読取ユニット１３は、読取対象である反射原稿の相対移動方向に対して幅方向に配向された第１ラインセンサー１３ａを備えると共に、第１発光部１３ｂはこの第１ラインセンサー１３ａと略等長に一体的に形成されている。そして、第１発光部１３ｂが反射原稿に照明光を当てるとその想定される反射光と所定の焦点距離を隔てた位置で受光する様に第１ラインセンサー１３ａが対面することになる。
【００２１】
また、第２の読取ユニット（第２読取部）１５については、反射原稿用に第２発光部１５ｂからの光を当てて反射原稿の第２面を読み取るものであり、反射原稿の相対移動方向に対して幅方向に配向された第２ラインセンサー１５ａを備えると共に、第２発光部１５ｂはこの第２ラインセンサー１５ａと略等長に一体的に形成され、同第２発光部１５ｂが反射原稿に照明光を当てるとその想定される反射光と所定の焦点距離を隔てた位置で受光する様に第２ラインセンサー１５ａが対面することになる。
【００２２】
第１の読取ユニット１３が波線で示す反射原稿位置にあるときは、第２の読取ユニット１５とほぼ真正面に対面している。従って、互いに第１発光部１３ｂと第２発光部１５ｂとが対面し、第１ラインセンサー１３ａと第２ラインセンサー１５ａとが対面する位置関係となるから、これが基本位置となる。
図３と図４は、第１の読取ユニット１３を移動（変化）させるための駆動機構の要部を概略的に示している。図では波線で第１の読取ユニット１３を示しており、断面コ字状のフレーム１８内でカム部材１９上に載置されている。
【００２３】
フレーム１８は、ガラス面の側、すなわち、読取対象の側に向けて開口する断面コ字状に形成されている。断面コ字状となっているので、上方が開口し第１ラインセンサー１３ａの読取光の受光経路を遮らない様になっている。カム部材１９は以下の様な機能を有する段差を有する形状となっている。まず、カム部材１９は、上述した様に反射原稿が供給される方向に往復動可能となっている。そして、図３に示す様に、この反射原稿の供給路における下流側に移動した状態では、第１の読取ユニット１３を最も低いに保持する第１段部１９ａを有しているとともに、上流側に移動した状態では第１の読取ユニット１３を最も反射原稿の側に押し上げる第２段部１９ｂを有している。図面上では左方（上流側）に低い第１段部１９ａが形成され、右方（下流側）に高い第２段部１９ｂが形成され、両者間には両者をなだらかに接続するための傾斜部１９ｃが形成されている。
【００２４】
第１の読取ユニット１３はフレーム１８で上流側と下流側との間の短い距離でのみ移動可能であり、カム部材１９がめいっぱい下流側に移動すると第２段部１９ｂがフレーム１８の外部に出るので、第１の読取ユニット１３は自ずから最も低い位置であってフレーム１８内でもっとも下流側の位置に移動する。これが基本位置である。これに対して、カム部材１９が上流側に移動すると、第１の読取ユニット１３は傾斜部１９ｃに沿って摺り上がり、第２段部１９ｂ上に登ると共にカム部材１９の移動に伴ってフレーム１８内でもっとも上流側に移動する。これが透過原稿位置であり、移動位置とも呼ぶ。このようにして、カム部材１９がフレーム１８に対して読取対象の相対移動方向に前後動するときに、当該カム部材１９に載置された第１の読取ユニット１３を、基本位置から移動位置へ移動させるカム機構を構成している。なお、カム部材１９の移動に伴って第１の読取ユニット１３を確実に上流側と下流側に移動させるための突き当て部１９ｄ、１９ｅがそれぞれ第１段部１９ａの上流側と第２段部１９ｂの下流側に備えられている。
【００２５】
フレーム１８とカム部材１９とからなる駆動機構によって第１の読取ユニット１３の全体が移動され、その焦点距離（光路長）は当然に変化することになる。フレーム１８からカム部材１９がはみ出る様な位置関係としているのは、図示しない駆動機構でフレーム１８がガラス面に沿って移動するときに、その両端ではカム部材１９が筺体の一部に当接して上述した様にフレーム１８に対して相対移動できるようになっている。すなわち、最下流端ではカム部材１９が上流側に移動して第１の読取ユニット１３を上述した透過原稿位置へ移動させられるし、最上流端ではカム部材１９が下流側に移動して第１の読取ユニット１３を上述した反射原稿位置へ移動させられる。かかる駆動を制御するのは制御部１７であり、このため、当該制御部１７は原稿を透過した光を用いて読み取りできる透過原稿位置へ第１の読取ユニット１３を移動させるように駆動機構を制御することになる。
【００２６】
次に、透過原稿位置での読み取りについて説明する。
図５はフィルムフォルダーを斜視図により示しており、図６は断面図により示しており、図７はフィルムフォルダーを利用した透過原稿読取における第１の読取ユニット１３と第２の読取ユニット１５の位置関係を概略的に示している。
図５に示す様に、フィルムフォルダー２０は３本の短冊形状のフィルムを収容して保持可能な様に３列の矩形窓２１を形成した枠状に形成されている。図６は各矩形窓２１の断面を示しており、フィルムの幅方向の両端を載置可能な様に下方側がやや幅狭に形成され、上方側はフィルムを挿入できる様にやや幅広に形成されるように、厚み方向の中程の段部２１ａを備えている。また、フィルムがずれない様に幅広側となる側の側壁には小突起２１ｂが形成されている。フィルムフォルダー２０にフィルムを収容した状態で上記ガラス面に載置したとすると、フィルムフォルダー２０の下面から上記段部２１ａまでの厚み２１ｃだけフィルムはガラス面から離れることになる。この厚み２１ｃはラインセンサーにとっては十分に影響のある距離である。
【００２７】
ここで図７を参照すると、フィルムがフィルムフォルダー２０に収容されてガラス面に載置されたときに、上述した様に第１の読取ユニット１３が駆動機構によって基本位置（反射原稿位置）から移動位置（透過原稿位置）へ移動すると、第１の読取ユニット１３は第１段部１９ａと第２段部１９ｂの段差分だけガラス面の側に近接することになる。すなわち、段差分の距離と上述した厚み２１ｃとが一致すれば第１の読取ユニット１３における第１ラインセンサー１３ａの焦点距離にフィルムが位置することになる。
【００２８】
すなわち、フィルムがフィルムフォルダーに収容されてガラス面上に載置されたとき、言い換えると読取対象の位置が基本位置における位置よりも厚み２１ｃの距離だけ第１の読取ユニット１３よりも遠方側の所定位置へ移動するが、これに伴って駆動機構によって第１の読取ユニット１３自身が当該所定位置に対する焦点距離となる移動位置へ移動させられることになる。この結果、被写界深度の浅い第１ラインセンサー１３ａを備えながらも、第１の読取ユニット１３はフィルムに対する焦点距離を保持できる。
【００２９】
また、フィルムは透過原稿であるからこれを読み取るためには照明光が必要である。上記カム機構においてカム部材１９がフレーム１８に対して相対移動するとき、第１の読取ユニット１３は上下動のみならず、フレーム１８の幅の範囲で上流側の移動位置と、下流側の基本位置との間で移動可能である。基本位置では第１の読取ユニット１３の第１ラインセンサー１３ａは上方に位置する第２の読取ユニット１５の第２ラインセンサー１５ａに対面しているが、移動位置まで上流側に移動すると、第１ラインセンサー１３ａは第２の読取ユニット１５における第２発光部１５ｂに対面する位置関係となる。すなわち、駆動機構は、第１の読取ユニット１３の全体を移動させることで、第１ラインセンサー１３ａが第２発光部１５ｂに対面する位置へも移動させることになる。
【００３０】
この結果、第２発光部１５ｂの照射光は間に位置することになる透過原稿を透過し、焦点距離だけ隔てた位置に待機する第１ラインセンサー１３ａに受光されるので、第１ラインセンサー１３ａは透過原稿の画像を読み取ることができる。また、このような透過原稿のための照明ユニットは本来は個別に用意しなければならないが、上述した様な構成とすることで第２の読取ユニット１５の第２発光部１５ｂを利用でき、個別のものを要しない。
【００３１】
なお、透過原稿の読み取りに必要な光量が反射原稿の読み取りに必要な光量よりも多い様であれば、制御部１７は上述した移動の制御に加え、第２の読取ユニット１５における第２発光部１５ｂの発光量を多くさせるようにしてもよい。また、その逆も可能である。すなわち、制御部は、読取対象が反射原稿から透過原稿に切り替わった場合に、第２発光部１５ｂの発光量を変化させることになる。
【００３２】
なお、本発明は上記実施例に限られるものでないことは言うまでもない。当業者であれば言うまでもないことであるが、レンズを差し替えることや液体レンズを制御することで焦点距離を変化させるようにしても良い。
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
【００３３】
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００３４】
１０…ドキュメントスキャナー、１１…下部筺体部、１２…上部ＡＤＦユニット、１３…第１の読取ユニット（第１読取部）、１３ａ…第１ラインセンサー、１３ｂ…第１発光部、１４…原稿載置トレイ、１５…第２の読取ユニット（第２読取部）、１５ａ…第２ラインセンサー、１５ｂ…第２発光部、１６…原稿排紙位置、１７…制御部、１８…フレーム、１９…カム部材、１９ａ…第１段部、１９ｂ…第２段部、１９ｃ…傾斜部、１９ｄ，１９ｅ…突き当て部、２０…フィルムフォルダー、２１…矩形窓、２１ａ…段部、２１ｂ…小突起 
【図１】
2012195879.tif 000003
【図２】
2012195879.tif 000004
【図３】
2012195879.tif 000005
【図４】
2012195879.tif 000006
【図５】
2012195879.tif 000007
【図６】
2012195879.tif 000008
【図７】
2012195879.tif 000009